(57)【要約】【課題】植付作業時にオペレータの前方視界を妨げない格納姿勢にでき、且つ補給容器を安定的に載置して補給作業を容易にする補給台３０を備える移植機を提供する。【解決手段】走行機体５の前部側方に沿って取付けられる貯留タンク２３と、該貯留タンク２３に形成される補給口２３ａに肥料或は薬剤等の液体を補給する補給容器を載置可能な補給台３０を備える移植機１であって、前記補給台３０を、貯留タンク２３の側方に沿って上下方向に縦向きになる格納姿勢から、貯留タンク２３の補給口２３ａに近接する横向きの補給姿勢に切換自在に構成にした。【選択図】図２
2018011524.tif 000002
【特許請求の範囲】
【請求項１】
走行機体（５）の前部側方に沿って取付けられる貯留タンク（２３）と、該貯留タンク（２３）に形成される補給口（２３ａ）に肥料或は薬剤等の液体を補給する補給容器を載置可能な補給台（３０）を備える移植機１において、
前記補給台（３０）を、貯留タンク（２３）の側方に沿って上下方向に縦向きになる格納姿勢から、貯留タンク（２３）の補給口（２３ａ）に近接する横向きの補給姿勢に切換自在に構成することを特徴とする移植機。
【請求項２】
前記補給台（３０）を、補給口（２３ａ）の横側に位置させて横向きの補給姿勢にする口横側補給姿勢（Ａ）と、補給口（２３ａ）の前側に位置させて横向きの補給姿勢にする口前側補給姿勢（Ｂ）とに切換自在に構成する請求項１記載の移植機。
【発明の詳細な説明】
【技術分野】
【０００１】
本発明は、圃場に苗を移植しながら施肥等を行う移植機に係り、詳しくは、肥料や薬剤等の液体を貯留タンクに補給する構造に関する。
【背景技術】
【０００２】
従来、走行機体の前部左右に形成されるフロントステップの側方に設置される貯留タンクに、肥料或は薬剤等の液体(圃場供給資材)を供給するための補給容器を載置する補給台を設け、貯留タンクの上面に形成される補給口に対し、補給台に仮置き状に載置した補給容器から液体を供給し易くする移植機が既に公知である。（例えば、特許文献1及び特許文献２）
上記特許文献1に示される移植機は、補給口を開閉する口蓋を利用して補給台となし、その閉じ姿勢から前方側にスライド移動して補給口を開いた開口位置において、補給容器を載置可能な補給姿勢に切換える構成にしている。
また特許文献２に示される移植機は、補給作業時に口蓋を開けた補給口に対し、補給容器を保持可能な補給台（保持フレーム）をタンク外壁と縦向き支柱状フレームとに取付けて支持するように構成されている。
【先行技術文献】
【特許文献】
【０００３】
【特許文献１】特許第５０１６５３７号公報
【特許文献２】特開２０１３−５５９０９号公報
【発明の概要】
【発明が解決しようとする課題】
【０００４】
上記特許文献１に示される移植機は、補給口を閉じる口蓋を前方側に向けて開移動したとき補給台として、ペースト肥料を収納した重く不定形な肥料袋（補給容器）の補給を容易にすると共に部品兼用をすることができる等の利点がある一方、口蓋のスライド構造が複雑化しコスト高になる等の課題がある。
また特許文献２に示される移植機の補給台は、補給作業時に口蓋を開けた補給口に対し補給容器を確実に保持できる利点がある。然しながら、貯留タンクに取付けたままの補給台は、通常植付作業等の走行時に運転座席に着座しているオペレータの前方視界を妨げる欠点があると共に、補給作業のたびに貯留タンクに対し、補給台を着脱する煩雑で面倒な設置作業を要する等の課題がある。
また上記特許文献１，２の各移植機は、その機体方向を畦に対し垂直状に近接させた状態で機体をその場合に停止した機体姿勢（補給機体姿勢と言う）にし補給作業をするとき、補給台が補給口の前方に位置するものである。従って、補給作業者が畦側から又は圃場内で貯留タンクの直前（前部）に立った機体前方作業姿勢で補給作業をしようとすると、補給台及び載置された補給容器が邪魔になり補給口に手を届き難くなって補給作業を困難にする。
そのため、補給作業者は、手が届きやすい貯留タンクの側方（機体の左右外側方）に歩行移動し補給口に接近した機体側方作業姿勢で、補給台に載置した補給容器の排出口側を掴み保持しながら液体（供給資材）を補給口内に補給することになる。従って、上記のような補給台構造と補給手段によれば、補給作業者は畦側から左右の貯留タンクに対する補給作業位置へと、ぬかるんだ圃場内を歩き移動する距離が長くなり過度な労力や泥汚れを伴う欠点があると共に、近年就農が期待されている婦女子から敬遠される等の問題もある。
【課題を解決するための手段】
【０００５】
上記課題を解決するため本発明は、第１に、走行機体５の前部側方に沿って取付けられる貯留タンク２３と、該貯留タンク２３に形成される補給口２３ａに肥料或は薬剤等の液体を補給する補給容器を載置可能な補給台３０を備える移植機１において、
前記補給台３０を、貯留タンク２３の側方に沿って上下方向に縦向きになる格納姿勢から、貯留タンク２３の補給口２３ａに近接する横向きの補給姿勢に切換自在に構成することを特徴としている。
第２に、前記補給台３０を、補給口２３ａの横側に位置させて横向きの補給姿勢にする口横側補給姿勢Ａと、補給口２３ａの前側に位置させて横向きの補給姿勢にする口前側補給姿勢Ｂとに切換自在に構成することを特徴としている。
【発明の効果】
【０００６】
請求項１に係る発明によれば、走行機体の前部側方に沿って取付けられる貯留タンクと、該貯留タンクに形成される補給口に肥料或は薬剤等の液体を補給する補給容器を載置可能な補給台を備える移植機において、前記補給台を、貯留タンクの側方に沿って上下方向に縦向きになる格納姿勢から、貯留タンクの補給口に近接する横向きの補給姿勢に切換自在に構成することにより、
補給台は、植付作業時にオペレータの前方視界を妨げることのない縦向きの格納姿勢になるため植付作業を支障なく行うことができ、また液体補給を行なう際には、補給台を縦向きから横向きに切換えて補給口に近接させるため、補給作業をし易い位置に補給容器を安定的に載置して能率よく行うことができる。
請求項２に係る発明によれば、前記補給台を、補給口の横側に位置させて横向きの補給姿勢にする口横側補給姿勢と、補給口の前側に位置させて横向きの補給姿勢にする口前側補給姿勢とに切換自在に構成することにより、
補給台を口横側補給姿勢にしたとき機体の前部で圃場内に立つ補給者は、貯留タンクの前部と横向きの補給台に直接的に近接した機体前方作業姿勢になれるため、補給容器を補給台に簡単に載せることができると共に、補給作業を容易に行うことができる。
また補給台を口前側補給姿勢にしたときは、例えば畦側の補助者によって補給台に載置セットされた補給容器を、オペレータが補給者になり運転操作部から前部移動した位置において機体乗車作業姿勢で、苗台支柱を回避しながら手を伸ばして補給作業を能率よく確実に行うことができる等の特徴がある。
【図面の簡単な説明】
【０００７】
【図１】本発明の実施の形態に係る移植機の全体側面図である。
【図２】図１の移植機の補給作業態様を示す平面図である。
【図３】本発明の移植機に係る補給助成機構回りの要部の構成を示す斜視図である。
【図４】補給助成機構の構成を示す分解斜視図である。
【発明を実施するための形態】
【０００８】
本発明の一実施形態を図面に基づいて説明する。先ず、本発明を採用した移植機１の基本的構造について図１，図２を参照し説明する。この移植機１は、左右一対の前輪２と後輪３を有する走行機体を構成する機体フレーム５の後部に、昇降リンク６を介して６条植付け用の植付部７が昇降自在に取付けられている。また機体フレーム５の前部には、ボンネット９に覆われたエンジンが搭載されていると共に、ステアリングハンドル１２及び操作パネル１３などからなる運転操作部１０が設けられ、オペレータが運転座席１１に着座して運転操作することができる。
【０００９】
そして、ボンネット９の左右側方には、フロントステップ１５が運転操作部１０から前輪２，２の車軸の上方を通して延設されており、該フロントステップ１５の後方には、運転操作部１０の床面（底部）を構成するメインステップ１６及びスノコ状のサイドステップ１７が連続して設けられている。これらフロントステップ１５、メインステップ１６及び左右一対のサイドステップ１７により、作業者がその上方を移動するステップ１９が構成されている。前記運転座席１１は、ステップ１９の後方に設けられた機体カバー２０に取付けられており、該機体カバー２０の運転座席１１の左右側方はステップ１９よりも一段高い平坦面状の苗供給用ステップ２１となっている。
【００１０】
この移植機１の構成において、左右のフロントステップ１５，１５の各側方に配設する貯留タンク２３と予備苗載台２５とは、機体フレーム５に対し取付フレーム２６を介し着脱自在に取付け、且つ取付フレーム２６を利用し本発明に係わる補給助成機構２７を後述する図４で示す構成によって設けている。また実施形態の貯留タンク２３は、施肥装置（不図示）に供給するペースト肥料を収容しており、タンク底部側をフロントステップ１５と略々同高さとなし、肥料を補給する補給口２３ａをタンク上面２３ｂの前部側に開口させている。また補給口２３ａの口蓋２８は在来のものと同様に、補給口２３ａの後方でタンク上面２３ａに設けたヒンジ部(蝶番等)２８ａを支点に、図１に２点鎖線で示すように、後方に向け開閉回動自在に取付けられている。
【００１１】
次に、図２〜図４を参照し取付フレーム２６に対する、貯留タンク２３と予備苗載台２５及び補給助成機構２７等の取付け態様について詳述する。先ず、図３に示すように取付フレーム２６は、機体フレーム５の下部（腹部）に取付けられ腹部左右側に突出させる横フレーム２６ａと、該横フレーム２６ａの中途部と先端部から上向きに立設される支柱フレーム２６ｂとタンクガードフレーム２６ｃ等からなる。これにより取付フレーム２６は、横フレーム２６ａに載置した状態の貯留タンク２３を、前後の支柱フレーム２６ｂを連結する前後フレーム２６ｄにボルトで取付け、且つタンク外側壁側をタンクガードフレーム２６ｃに接当させて支持する。一方、予備苗載台２５は在来のものと同様に、その前後の苗台支柱２５ａを支柱フレーム２６ｂ又は前後フレーム２６ｄの所定箇所と高さ位置に、着脱自在に取付けるようにしている。（図３）
【００１２】
補給助成機構２７は、ペースト肥料を収容する袋状又は箱時の補給容器を載置又は仮支持自在にする板状の補給台３０と、該補給台３０に設けられる丸棒状の支持部材(以下単にバーと言う)３１と、該バー３１を前後方向移動させる所定移動位置で、補給台３０を補給姿勢と格納姿勢とに切換え自在に支持する切換部材３２とから構成している。即ち、実施形態の補給助成機構２７は、各取付フレーム２６の上部に取付けられた状態で、バー３１と切換部材３２を介し、補給台３０を後退させた格納位置において、貯留タンク２３の内側方の前後方向に沿い且つ上下方向に縦向きになる格納姿勢と、該格納姿勢から前方に移動させた補給位置で補給容器を載置可能とする横向きの補給姿勢とに切換え自在に支持するように構成している。
【００１３】
これにより通常の植付作業時において補給助成機構２７は、補給台３０を機体前部から大きく突出させることなく、且つ着座しているオペレータからの前方視界を妨げることのない後方縦向きの格納姿勢にして植付作業を支障なく行うことができる。そして、補給容器内の液体肥料の補給を行なう際には、補給台３０をバー３１及び切換部材３２を介して前方移動させた所定の補給位置で補給姿勢にすることにより、補給作業を容易且つ能率よく行うようにしている。
【００１４】
つまり、この補給助成機構２７は補給台３０を前方移動させたとき、図２，図４に示すように貯留タンク２３の補給口２３ａの横側で横向き水平状に位置する口横側補給姿勢Ａと、補給口２３ａの前側で横向き水平状に位置させる口前側補給姿勢Ｂとに選択切換えをすることができるようにしている。これにより移植機１は、補給台３０を口横側補給姿勢Ａにしたとき、補給者が機体の前部で圃場内に立った機体前位置Ｍ又は畦側に立った各位置から、機体前方作業姿勢によって補給容器を補給台３０に載せて補給作業を能率よく行なうことができる。一方、補給台３０を口前側補給姿勢Ｂにしたときは、例えば畦側の補助者によって補給台３０に載置セットされた補給容器を、オペレータが補給者になり運転操作部１０からフロントステップ１５の前部に移動したステップ部位置Ｎで機体乗車作業姿勢になって、苗台支柱２５ａとの接当を容易に回避しながら手を伸ばし補給作業を支障なく容易に行うことができる。
【００１５】
即ち、図４に示すように実施形態の補給助成機構２７は、ストレートな丸棒状のバー３１には、補給台３０の他側(後部側)の軸中途所定位置に位置決め部材としてのピン３１ａを捻じ込み着脱自在に突設し、該ピン３１ａの後方に戻しスプリングとしてのコイル状のバネ３３を嵌挿自在とし、且つ軸端にバネストッパ３５を着脱自在に設けている。一方、図示例の切換部材３２は、バー３１の略全長を回動自在に挿入する長さと内径を有するパイプであり、このパイプ形状と長さを利用し前部と後部の一側に補給台３０を係合させて格納姿勢Ｋに起立保持する格納保持手段としての格納溝３６と、ピン３１ａの前後方向移動をガイドする前後移動ガイド手段としてのガイド溝３７とを穿設している。
【００１６】
そして、ガイド溝３７には、前記補給台３０を口横側補給姿勢Ａと口前側補給姿勢Ｂとにする各位置において、ピン３１ａを択一的に係合させて横向きに位置決め保持する口横側補給姿勢溝３７ａと口前側補給姿勢溝３７ｂとを横向きに形成している。
これにより切換部材３２のパイプ孔に、補給台３０を有するバー３１を挿入した状態で、ガイド溝３７を介しピン３１ａを挿入しバー３１にねじ込み突設したのち、パイプ孔から後方に突出する軸端にバネ３３を嵌挿してバネストッパ３５を取付けることにより、補給台３０と切換部材３２とをコンパクトに纏めたユニット構造にすることができる。
【００１７】
このように構成される補給助成機構２７は、補給台３０の後部を格納溝３６に一部挿入した状態で縦向きになり、バネ３３の付勢力によって格納姿勢Ｋ位置に保持することができる。また補給助成機構２７は、取付フレーム２６の前後フレーム２６ｄに、切換部材３２の下部側に突設した板状のブラケット３９を介し、ボルト等によって着脱自在に取付けることを可能にしている。従って、横長状でコンパクトに纏めた１つのユニット部品にすることができる補給助成機構２７は、従来のもののように部品数や組立コストをアップさせることなく簡単且つ安価に製作でき、また市場に既存する移植機１に対しても後付け作業によって、横長なパイプ材による切換部材３２を取付フレーム２６に大幅な改造を要することなく簡単に装着することができる等の新規な特徴を創出する。
【００１８】
次に、以上のように構成される補給助成機構２７を備える移植機１による植付作業及び補給作業の態様について各図を参照し説明する。先ず、この移植機１による植付作業は、在来のものと同様に運転座席１１に着座したオペレータの運転操作によって、植付部７により苗を圃場に植え付けると共に、施肥機（不図示）によって貯留タンク２３からペースト肥料を繰り出して圃場に施肥することができる。そして、植付作業の途中で植付部７に苗が無くなると、貯留タンク２３の上方に設置されている予備苗載台２５から苗を取り出すか、機体を畦に対して垂直状態で停め、畦際から補助者に予備苗を渡してもらい、右又は左側のフロントステップ１５を通って苗供給用ステップ２１から植付部７へと苗を補給していく。
【００１９】
一方、貯留タンク２３のペースト肥料が少なくなり補給を要する場合には、移植機1の機体方向を畦に対して垂直状態にして近接させて停止することが望ましく、この場合に補給台３０を前記したように格納姿勢Ｋからバネ３３の付勢力に抗して前方に引き出し、且つ補給台３０をフロントステップ１５側に向け内向きに回動し、バー３１に突設したピン３１ａを口横側補給姿勢溝３７ａに係合する。これにより補給助成機構２７は図２に示すように、補給台３０を補給口２７の横側に位置させた口横側補給姿勢Ａにすることができ、補給作業者は従来のもののように機体の左右方向に歩行移動をすることなく、貯留タンク２３の直前に近接した機体前位置Ｍに立ち機体前方作業姿勢によって、側方に隣接する補給台３０に仮置き状に載置された補給容器及びその排出口を適切に操作しながら、肥料を補給口２７内に向け能率よく容易に補給することができる。
【００２０】
一方、オペレータが補給作業者になって機体から圃場に降りることなく、フロントステップ１５を利用し機体前部に移動し補給作業を行なう場合には、補給台３０をバネ３３の付勢力に抗しさらに前方に引き出し、且つ補給台３０をフロントステップ１５の外方に向け外向き回動し、ピン３１ａを口前側補給姿勢溝３７ｂに係合する。これにより図２に示すように補給助成機構２７は、補給台３０を補給口２７の前側に隣接位置させた口前側補給姿勢Ｂにすることができ、フロントステップ１５の前部に補給台３０を臨ませることなく開放することができる。
【００２１】
そして、口前側補給姿勢Ｂにある補給台３０は、オペレータが運転操作部１０からフロントステップ１５の最前部に移動する際に邪魔になることなく、ステップ前位置Ｎに至らせ、オペレータは苗台支柱２５ａとの接当を回避しながら手を支障なく伸ばすことができ、降車することなく機体乗車作業姿勢によって補給作業を能率よく行うことができる。従って、上記構成による移植機１によれば、オペレータが非力な婦女子である場合でも補給作業者としてステップ部位置Ｎに移動することにより、補給作業を速やかに行うことができる。つまりこの場合には、畦側にいる補助者が補給容器を補給台３０に載置するだけで、オペレータが圃場内に降りることなく、一連の補給作業を容易に行うことができるので、近年特に必要とされている農業機械を使用できる婦女子の就農活性を促進することができる等の利点を創出する。
【００２２】
次いで、補給作業を終えたのちは、補給済みの補給容器を畦側に返すか機体側適所に残置した状態で、補給台３０を元の縦向き方向に回動しピン３１ａを口前側補給姿勢溝３７ｂ或は口横側補給姿勢溝３７ａから外すと、補給台３０はバネ３３の戻し力によってガイド溝３７に沿って後方移動し、格納溝３６内に自動的に係合復帰し格納姿勢Ｋに速やかに保持される。そして、補給台３０は貯留タンク２３の側方に沿い上下方向の縦向きになるため、後方から運転操作するオペレータの前方視界を妨げることなく、植付や施肥並びに路上走行等の走行作業を支障なく行うことができる等の利点もある。
【００２３】
尚、図示例の補給台３０は、貯留タンク２３の側面に沿って上向き垂直方向に立てる格納姿勢Ｋになるようにしたが、これに限ることなく必要により下向きの格納姿勢や斜め上下方向に傾斜状になる格納姿勢にしてもよい。また実施形態の補給助成機構２７は、補給台３０を格納姿勢Ｋと口横側補給姿勢Ａと口前側補給姿勢Ｂとに姿勢切換をする切換部材３２としてパイプを利用したが、これに限定することなく例えば、補給台３０側に設けたフック等の被係合部材を、取付フレーム２６或は貯留タンク２３側の所定位置に設ける係合孔等の係合部に対し選択切換自在に設ける等の構成にしてもよいものである。
【符号の説明】
【００２４】
１  移植機
３  刈取部
５  走行機体
２３  貯留タンク
２３ａ  補給口
２６  取付フレーム
３０  補給台
Ａ  口横側補給姿勢
Ｂ  口前側補給姿勢
Ｋ  格納姿勢
Ｍ  機体前位置
Ｎ  ステップ前位置
【図１】
2018011524.tif 000003
【図２】
2018011524.tif 000004
【図３】
2018011524.tif 000005
【図４】
2018011524.tif 000006